(57)【要約】
【課題】収納する資料の数量に合わせて二つの底板の幅が自動展開するファイル。
【解決手段】フロントフォルダ１０及びカバーフォルダ２０をそれぞれ底板１２及び２２を重ね、両フォルダの間にクリアファイル袋体を配置してクリアファイル袋体の両側をそれぞれフロントフォルダ及びカバーフォルダにヒートプレス結合し、クリアファイル袋体の底板は重ねた状態とし、フロントフォルダとカバーフォルダはベルトとバックルなどにより締結してフォルダとする。
　該カバーフォルダー底板上に挿入体２３を設け、フロントフォルダ底板に切り目１４，１５を設けて該挿入体を挿通してその嵌合部２４をカバーフォルダに形成した挿入溝２５に嵌合して固定する。底板１２，２２は挿入体２３を介してスライドし、フォルダ収納量によって自動的にフォルダの底幅を変更可能であるため、型崩れすることはない。
【選択図】図４
0003100045.tif 000002
【実用新案登録請求の範囲】
【請求項１】
　フロントフォルダ及びカバーフォルダをそれぞれの底板を重ねて底部とし、両フォルダの間にクリアファイル袋体を配置してクリアファイル袋体の両側をそれぞれフロントフォルダ及びカバーフォルダにヒートプレス結合すると共に、両ファイルの底板は重ねた状態として両フォルダを挿入体によって結合し、フロントフォルダとカバーフォルダはベルトとバックルなどにより締結してフォルダを構成し、
　該フォルダーの一方の底板に折り返して挿入体を設け、他方のフォルダ底板にこれを挿入する切り目を設けて該挿入体を挿通して挿入体先端の嵌合部を再び挿入対を固定したフォルダ側に固定することにより、両フォルダの底板が挿入体２３を介して相互にスライド可能として、フォルダ収納量によって自動的にフォルダの底幅を変更可能としたことを特徴とする容量に合わせて収納幅を調整するファイル。
【請求項２】
　カバーフォルダの挿入体端の嵌合部は僅かに大きく、挿入体はフロントフォルダの切り目へ曲折して挿入通過し、更にカバーフォルダの底板の挿入溝へ挿入結合すると、該嵌合部と挿入溝はしっかりと嵌合する効果を得ることを特徴とする請求項１記載の容量に合わせて収納幅を調整するファイル。
【考案の詳細な説明】
【技術分野】
【０００１】
　本考案は、容量に合わせて調整するファイルに係り、特にその設計はファイルのフロントフォルダの切り目とカバーフォルダの挿入体による挿入して嵌合する関係のもと、クリアファイル袋体へ資料又は書類を収納し、ファイルの二つの底板の幅は資料又は書類の容量に合わせて自動的に展開し、公知のファイルにおける収納容量が多くなるとファイルが膨らむ現象を避けるものである。
【背景技術】
【０００２】
　公知のクリアファイル袋体のファイルは主にファイルの片側に設ける板材を折り曲げて形成し、カバーフォルダへ予め設けるベルトとフロントフォルダに設けるバックルにより覆合する形態となり、フロントフォルダとカバーフォルダの間は適正な幅の底板により連結されており、そのクリアファイル袋体へ資料を分類して収納し、取り出す、非常に実用価値の高いものである。
【考案の開示】
【考案が解決しようとする課題】
【０００３】
　　しかしながら従来公知のファイルの固定形態には多くの問題と欠点があり、
クリアファイル袋体へ資料又は書類を収納する容量が多くなり、底板の幅よりも多量の資料又は書類を収納するとファイルが膨張し、見た目も悪くなり、同時にファイル本来の効果にも影響を与え、ベルトが締まらないなどの問題が発生し、ファイル内の資料又は書類が落ちてしまう問題もでてくる。
　そこで、本考案は、上記の問題点を解決するべく、容量に合わせて底板を調整できるファイルを提供する。
【課題を解決するための手段】
【０００４】
　上記課題を解決するため、本考案は下記の容量に合わせて底板を調整するファイルを提供する。
それは、主に底側が挿入結合するカバーフォルダとフロントフォルダからなるファイルに係り、該フロントフォルダーは底板を曲折させてヒートプレスすることにより溝部を形成する。溝部へ等間隔に相対する複数の切り目を設け、カバーフォルダの底板上へ設ける補強体と貼合し、底板に相対する数の挿入体を設け、挿入体の前端は嵌合部となり、カバーフォルダの底板の内側に対応する挿入溝を設け、カバーフォルダの挿入体はフロントフォルダの底板を曲折してヒートプレスした溝部の切れ目へ挿入通過し、再び挿入体の前端の嵌合部をカバーフォルダの底板の内側にある挿入溝へ挿入して一体となる。カバーフォルダの挿入体の嵌合部とフロントフォルダの溝部の切り目への配合を利用して二つ底板の幅は収納する資料の容量に合わせて自動展開するファイルの構造が最も主要な特徴とする。
【考案の効果】
【０００５】
　　本考案の容量に合わせて調整するファイルは、資料又は書類の容量がファイル底板よりも多いとき、ファイルが膨張することを避けることができる。
【考案を実施するための最良の形態】
【０００６】
　図１〜８に示すように、主にフロントフォルダ１０及びカバーフォルダ２０を底板の挿入結合する組合せにより構成されるファイル１に係り、更にフロントフォルダ１０とカバーフォルダ２０の間へクリアファイル袋体３０を組合せ、クリアファイル袋体３０の両側はそれぞれフロントフォルダ１０及びカバーフォルダ２０をヒートプレス結合しており、クリアファイル袋体３０の底部はヒートプレス結合により固定されていない、クリアファイル袋体３０は資料４０又は書類を分類して収納することができる。フロントフォルダ１０へ予めバックル１１を設けており、カバーフォルダ２０にこれに相対するベルト２１を設けて嵌合させることにより、フロントフォルダ１０とカバーフォルダ２０はクリアファイル袋体３０を覆う形態となる。フロントフォルダ１０のバックル１１及びカバーフォルダ２０のベルト２１を開けるとファイル１への資料４０又は書類の出し入れが可能となる。
【実施例１】
【０００７】
　該フロントフォルダー１０は底板１２を戻るように曲折してヒートプレス結合して溝部１３を形成し、溝部１３へ相対する切り目１４、１５を等間隔に設け、カバーフォルダ２０の底板２２の挿入体２３端に設ける嵌合部２４は該切り目１４、１５へ挿入結合し、該カバーフォルダー２０は底板２２上へ別に設ける補強体２２１と貼合し、底板２２へフロントフォルダ１０の切り目１４、１５に相対する数の挿入体２３を設け、該挿入体２３の前端へ僅かに大きいサイズの嵌合体２４を設け、カバーフォルダ２０の底板２２の内側に挿入体２３に対応する挿入溝２５を別に設ける。よってファイル１のフロントフォルダ１０とカバーフォルダ２０は挿入体２３によって強固に結合する。
　カバーフォルダ２０の底板２２はフロントフォルダ１０の底板１２上へ折り重なり、更にカバーフォルダ２０の底板２２の挿入体２３はフロントフォルダ１０の溝部１３に相対して設ける切り目１４、１５へ反対方向に折り返して曲折して挿入して通過し、最後に挿入体２３端の嵌合部２４はカバーフォルダ２０の底板２２の挿入溝２５へ挿入結合し、挟んで覆う形式のファイル１の構造となる。
　最後に挿入体２３の嵌合部２４はカバーフォルダ２０の底板２２の挿入溝２５へ挿入結合し、フロントフォルダ１０とカバーフォルダ２０の挿入結合となり覆合式のファイル１の構造となる。カバーフォルダ２０の底板２２の挿入体２３はフロントフォルダ１０の底板で反対に曲折してヒートプレスにより結合し、溝部１３の切り目１４、１５へ挿入される。よって二つの底板１２、２２は容量に合わせて幅を自動的に展開する目的を達成する。
【０００８】
　これにより本考案のファイル１は容量に合わせて調整するファイルに係り、
クリアファイル袋体３０へ収納する資料４０又は書類の容量が少ないと、フロントフォルダ１０の切り目１４、１５とを通るカバーフォルダ２０の底板２２の挿入体２３によってフロントフォルダ１０はスライドできるから、フロントフォルダ１０の底板１２とカバーフォルダ２０の底板２２は相対的にスライドしてずれることにより、ファイル１の体積が小さいと図９に示すように、クリアファイル袋体３０の容量が少なくなる。
　図１０は、資料４０又は書類の数量が比較的多いため展開中の指示図である。クリアファイル袋体３０へ資料４０又は書類を収納する数量が比較的多いと、フロントフォルダ１０とカバーフォルダ２０は相対して外へ向かって押されて、カバーフォルダ２０の挿入体２３に沿ってフロントフォルダ１０の底板１２とカバーフォルダ２０の底板２２の相対する関係がスライドしてずれて移動し、ファイル１の底板１２、２２の幅を自動展開する。
【産業上の利用可能性】
【０００９】
　本考案によって、カバーフォルダ及びフロントフォルダからなるファイルの底板の幅を調整することができる構造となり、公知の資料又は書類の量が増えることによってファイルが膨張する現象を避け、同時に整体構造か簡易であり、且つ便利である。
【図面の簡単な説明】
【００１０】
【図１】本考案の構造分解指示図である。
【図２】本考案のカバーフォルダの底板の挿入体の嵌合部をフロントフォルダの底板の溝部の切り目へ組合せ指示図である。（一）
【図３】本考案のカバーフォルダの底板の挿入体の嵌合部をフロントフォルダの底板の溝部の切り目へ挿入組合せ指示図である。(二)
【図４】本考案のカバーフォルダの底板の挿入体の嵌合部をフロントフォルダの底板の溝部の切り目へ更に挿入してカバーフォルダの挿入溝へ戻る組合せ指示図である。
【図５】本考案のカバーフォルダの底板の挿入体の嵌合部をフロントフォルダの底板の溝部の切り目へ更に挿入してカバーフォルダの挿入溝へ戻る組合せ完成指示図である。
【図６】本考案の構造組合せ指示図である。
【図７】本考案の組合せ完成指示図である。（一）
【図８】本考案の組合せ完成指示図である。（二）
【図９】本考案における比較的容量が少ない時の構造関係指示図である。
【図１０】本考案における比較的容量が多い時の構造関係指示図である。
【図１１】本考案における比較的容量が多い時の構造関係指示図である。
【図１２】本考案の実施例を展開した指示図である。
【符号の説明】
【００１１】
　　　１　　ファイル
　　１０　　フロントフォルダー
　　１１　　バックル
　　１２　　底板
　　１３　　溝部
　　１４、１５　切り目
　　２０　　カバーフォルダ
　　２１　　ベルト
　　２２　　底板
　　２３　　挿入体
　　２４　　嵌合部
　　２５　　挿入溝
　　３０　　クリアフィルム袋体
　　４０　　資料
　２２１　　補強体
【図１】
0003100045.tif 000003
【図２】
0003100045.tif 000004
【図３】
0003100045.tif 000005
【図４】
0003100045.tif 000006
【図５】
0003100045.tif 000007
【図６】
0003100045.tif 000008
【図７】
0003100045.tif 000009
【図８】
0003100045.tif 000010
【図９】
0003100045.tif 000011
【図１０】
0003100045.tif 000012
【図１１】
0003100045.tif 000013
【図１２】
0003100045.tif 000014